(57)【特許請求の範囲】
【請求項１】
ユーザ機器(UE)によるワイヤレス通信のための方法であって、
前記UEがワイヤレスローカルエリアネットワーク(WLAN)を介してネットワークに接続することを決定するとき、前記UEが複数のパケットデータネットワーク(PDN)接続をサポートすることが可能であるという指示を提供するステップと、
前記WLANとワイヤレスワイドエリアネットワーク(WWAN)との間の1つまたは複数のPDN接続のIPアドレスの連続性を保持する形で1つまたは複数のPDN接続性確立プロシージャを介して前記WLANを通して複数のPDN接続を確立および管理するために前記WLANを介した管理機能のための制御プロトコルを利用するステップであって、前記WLANが、WWAN事業者に関して信頼できるWLAN(TWAN)であり、前記制御プロトコルが、前記複数のPDN接続を確立および管理するための前記制御プロトコルのトンネリングのために、インターネットプロトコル(IP)、ならびに媒体アクセス制御(MAC)および物理レイヤ(PHY)プロトコルを介してトランスポートされる、ステップと、
前記WLANを用いた拡張可能認証プロトコル(EAP)を介して前記制御プロトコルを搬送するトンネルを識別するために1つまたは複数の識別子を取得するステップと
を含む、方法。
【請求項２】
前記管理機能が、ベアラセットアッププロシージャ、ベアラ変更プロシージャまたはベアラ解放プロシージャのうちの少なくとも1つを含む、請求項1に記載の方法。
【請求項３】
前記WLANと前記WWANとの間にIPフローモビリティ機能を提供するためのIPフローモビリティフィルタを交換するために前記制御プロトコルを利用するステップ
をさらに含む、請求項1に記載の方法。
【請求項４】
前記管理機能がサービス品質(QoS)をもつベアラの作成を含む、請求項1に記載の方法。
【請求項５】
前記UEが、IPを介した制御プロトコルメッセージのトンネリングのためにリンクローカルアドレスまたは非シームレスWLANオフロード(NSWO)アドレスのうちの少なくとも1つを利用する、請求項1に記載の方法。
【請求項６】
前記リンクローカルアドレスが、IPv4またはIPv6リンクローカルアドレスのうちの少なくとも1つを含む、請求項5に記載の方法。
【請求項７】
拡張可能認証プロトコル(EAP)、動的ホスト構成プロトコル(DHCP)、またはマルチキャスト発見を通じることのうちの少なくとも1つを介して前記TWANのためのIPアドレスを取得するステップをさらに含む、請求項1に記載の方法。
【請求項８】
前記制御プロトコルが、ジェネリックアドバタイズメントサービス(GAS)を利用する、請求項1に記載の方法。
【請求項９】
ユーザ機器(UE)によるワイヤレス通信のための装置であって、
前記UEがワイヤレスローカルエリアネットワーク(WLAN)を介してネットワークに接続することを決定するとき、前記UEが複数のパケットデータネットワーク(PDN)接続をサポートすることが可能であるという指示を提供するための手段と、
前記WLANとワイヤレスワイドエリアネットワーク(WWAN)との間の1つまたは複数のPDN接続のIPアドレスの連続性を保持する形で1つまたは複数のPDN接続性確立プロシージャを介して前記WLANを通して複数のPDN接続を確立および管理するために前記WLANを介した管理機能のための制御プロトコルを利用するための手段であって、前記WLANが、WWAN事業者に関して信頼できるWLAN(TWAN)であり、前記制御プロトコルが、前記複数のPDN接続を確立および管理するための前記制御プロトコルのトンネリングのために、インターネットプロトコル(IP)、ならびに媒体アクセス制御(MAC)および物理レイヤ(PHY)プロトコルを介してトランスポートされる、手段と、
前記WLANを用いた拡張可能認証プロトコル(EAP)を介して前記制御プロトコルを搬送するトンネルを識別するために1つまたは複数の識別子を取得するための手段と
を備える、装置。
【請求項１０】
前記管理機能が、ベアラセットアッププロシージャ、ベアラ変更プロシージャまたはベアラ解放プロシージャのうちの少なくとも1つを含む、請求項9に記載の装置。
【請求項１１】
請求項1〜8のいずれか一項に記載の方法を実行するためのコンピュータ可読命令を運搬する、コンピュータ可読記憶媒体。
【発明の詳細な説明】
【技術分野】
【０００１】
本開示のいくつかの態様は、一般にワイヤレス通信に関し、より詳細には、新しい制御プロトコルを使用したPDN接続の確立のための拡張された拡張可能認証プロトコル(EAP:extensible authentication protocol)認証プロシージャ、ならびにユーザ機器(UE)とネットワークエンティティの間の制御プロトコルのトランスポートのための技法に関する。
【０００２】
［米国特許法第119条に基づく優先権の主張］
本出願は、その全体が参照により本明細書に組み込まれる、2012年10月29日に出願された米国仮特許出願第61/719,893号、その全体が参照により本明細書に組み込まれる、2012年9月24日に出願された米国仮特許出願第61/705,104号、およびその全体が参照により本明細書に組み込まれる、2012年9月24日に出願された米国仮特許出願第61/705,034号の利益を主張する。
【背景技術】
【０００３】
音声、データなど、様々なタイプの通信コンテンツを提供するために、ワイヤレス通信システムが広く配置されている。これらのシステムは、使用可能なシステムリソース(たとえば、帯域幅および送信電力)を共有することによって複数のユーザとの通信をサポートすることができる多元接続システムであり得る。そのような多元接続システムの例には、符号分割多元接続(CDMA)システム、時分割多元接続(TDMA)システム、周波数分割多元接続(FDMA)システム、3rd Generation Partnership Project(3GPP) Long Term Evolution(LTE)システム、および直交周波数分割多元接続(OFDMA)システムがある。
【先行技術文献】
【非特許文献】
【０００４】
【非特許文献１】3GPP TS 36.211「Evolved Universal Terrestrial Radio Access(E-UTRA)、Physical Channels and Modulation」
【発明の概要】
【発明が解決しようとする課題】
【０００５】
モバイルデータサービスにアクセスするワイヤレス加入者の数とモバイルデータサービスを使用するアプリケーションの数とが増加し続けるのに伴い、モバイル事業者は、それらの認可スペクトルのトラフィック増加をサポートする課題に遭遇している。
【課題を解決するための手段】
【０００６】
本開示のいくつかの態様は、ユーザ機器(UE)によるワイヤレス通信のための方法、対応する装置、およびコンピュータプログラム製品を提供する。本方法は、概して、UEがワイヤレスローカルエリアネットワーク(WLAN)を介してネットワークに接続することを決定するとき、UEが複数のパケットデータネットワーク(PDN)接続をサポートすることが可能であるという指示を与えるステップと、WLANを通して複数のPDN接続を確立するためにWLANを介した管理機能のための制御プロトコルを利用するステップであって、WLANが、ワイヤレスワイドエリアネットワーク(WWAN)事業者に関して信頼できるWLAN(TWAN:trusted WAN)である、利用するステップとを含む。
【０００７】
本開示のいくつかの態様は、ユーザ機器(UE)によるワイヤレス通信のための方法を提供する。本方法は、概して、UEがワイヤレスローカルエリアネットワーク(WLAN)を介してネットワークに接続することを決定するとき、UEが複数のパケットデータネットワーク(PDN)接続をサポートすることが可能であるか、または単一の接続(PDNまたはNSWO接続)をサポートすることが可能であるという指示を与えるステップと、ネットワークからの応答として、WLANがUEについて単一の接続(PDNまたはNSWO接続)をサポートするという指示を受信するステップと、PDN接続のIP連続性を保持する形でEAP認証プロシージャを介したネットワークからの応答に基づいてWLANを通してPDNまたはNSWO接続のうちの少なくとも1つを確立するステップとを含む。
【０００８】
本開示のいくつかの態様は、ユーザ機器(UE)によるワイヤレス通信のための方法を提供する。本方法は、概して、UEがワイヤレスローカルエリアネットワーク(WLAN)を介してネットワークに接続することを決定するとき、UEが複数のパケットデータネットワーク(PDN)接続をサポートすることが可能であるという指示を与えるステップと、WLANが複数のPDN接続をサポートすることを示す応答がUEによって受信された場合、接続するという決定の前のように複数のPDN接続のIP連続性を保持する形で1つまたは複数のPDN接続性確立プロシージャを介してWLANを通して複数のPDN接続を確立するステップとを含む。
【０００９】
本開示のいくつかの態様は、ワイヤレスローカルエリアネットワーク(WLAN)エンティティによるワイヤレス通信のための方法を提供する。本方法は、概して、ユーザ機器(UE)がWLANを介してネットワークに接続することを決定するとき、UEが複数のパケットデータネットワーク(PDN)接続をサポートすることが可能であるという指示を受信するステップと、接続するという決定の前のように複数のPDN接続のIP連続性を保持する形で1つまたは複数のPDN接続性確立プロシージャを介してWLANを通して複数のPDN接続を確立するステップとを含む。
【００１０】
方法、装置、システム、コンピュータプログラム製品、および処理システムを含む多くの他の態様が提供される。
【００１１】
本開示の上述の特徴を詳細に理解することができるように、添付の図面にその一部を示す態様を参照することによって、上で簡単に要約されたもののさらに具体的な説明が得られ得る。しかしながら、添付の図面は、本開示の特定の典型的な態様のみを示し、したがって、本開示の範囲の限定と見なされてはならず、その理由は、この説明が他の同等の効果のある態様をもたらし得るからであることに留意されたい。
【図面の簡単な説明】
【００１２】
【図１】本開示のいくつかの態様による、ワイヤレス通信ネットワークの一例を概念的に示すブロック図である。
【図２】本開示のいくつかの態様による、ワイヤレス通信ネットワークにおけるフレーム構造の一例を概念的に示すブロック図である。
【図２Ａ】本開示のいくつかの態様による、ロングタームエボリューション(LTE)におけるアップリンクのための例示的なフォーマットを示す図である。
【図３】本開示のいくつかの態様による、ワイヤレス通信ネットワークにおいてユーザ機器デバイス(UE)と通信しているノードBの一例を概念的に示すブロック図である。
【図４】本開示のいくつかの態様による、IWLANおよびEPCアクセスのためにS5、S2a、およびS2bを使用する例示的な非ローミング発展型パケットサービス(EPS)ワイヤレスネットワークアーキテクチャを示す図である。
【図５】信頼できるWLANアクセスネットワークを含む、S2aベースのソリューションのためのネットワークアーキテクチャ500を示す図である。
【図６】信頼できるWLANアクセスゲートウェイ(TWAG)システムにおけるトンネル管理のための制御プレーン602とユーザプレーン604とを示す図である。
【図７】PDNまたはNSWOのいずれかの単一の接続に関するIP連続性/保存を達成することができる制御プロトコルのための例示的なコールフロー700を示す図である。
【図８】PDNまたはNSWOのいずれかの単一の接続に関する使用事例について説明するコールフロー800を示す図である。
【図９】NSWOありの1つまたは複数のPDNに関する使用事例について説明するコールフロー900を示す図である。
【図１０】NSWO接続なしの複数のPDNに関する使用事例について説明するコールフロー1000を示す図である。
【図１１】本開示の態様による、ユーザ機器(UE)によって実行され得る例示的な動作を示す図である。
【図１２】本開示の態様による、WLANエンティティによって実行され得る例示的な動作を示す図である。
【図１３】本開示の態様による、制御プレーントランスポートに対する3つの例示的な手法のためのプロトコルスタックを示す図である。
【図１４】本開示の態様による、ジェネリックルーティングカプセル化(GRE:Generic Routing Encapsulation)を介した制御プロトコルの1つの例示的な手法について説明するコールフロー800を示す図である。
【図１５】本開示の態様による、インターネットプロトコル(IP)を介した制御プロトコルの1つの例示的な手法について説明するコールフローを示す図である。
【図１６】本開示の態様による、ジェネリックアドバタイズメントサービス(GAS:generic advertisement service)を介した制御プロトコルの1つの例示的な手法について説明するコールフローを示す図である。
【図１７】本開示の態様による、ユーザ機器(UE)によって実行され得る例示的な動作を示す図である。
【図１８】本開示の態様による、ユーザ機器(UE)によって実行され得る例示的な動作を示す図である。
【図１９】本開示の態様による、ユーザ機器(UE)によって実行され得る例示的な動作を示す図である。
【図２０】本開示の態様による、ワイヤレスローカルエリアネットワーク(WLAN)エンティティによって実行され得る例示的な動作を示す図である。
【発明を実施するための形態】
【００１３】
本開示のいくつかの態様は、ワイヤレス通信のための方法を提供する。本方法は、概して、信頼できるワイドエリアネットワーク(TWAN)を通して複数のパケットデータネットワーク(PDN)接続を確立するために制御プロトコルを利用するステップを含む。いくつかの実施形態では、複数のPDN接続、同時非シームレスワイヤレスLANオフロード(NSWO:Non-Seamless Wireless LAN Offload)およびPDN接続、ならびにハンドオーバ中のPDN接続のためのIP保存が達成され得る。本開示のいくつかの態様は、ワイヤレス通信のための方法を提供する。本方法は、概して、ネットワークカバレージを拡張するためにWWANからトラフィックをオフロードするステップを含む。WLANオフロードは、本開示のいくつかの態様により、容量を拡大し、より良いユーザエクスペリエンスを与えるために使用され得る。いくつかの実施形態では、複数のPDN接続およびハンドオーバ中のIP保存が達成され得る。
【００１４】
本明細書で説明される技法は、CDMA、TDMA、FDMA、OFDMA、SC-FDMAおよび他のネットワークのような、様々なワイヤレス通信ネットワークに使用され得る。「ネットワーク」および「システム」という用語は、しばしば互換的に使用される。CDMAネットワークは、Universal Terrestrial Radio Access(UTRA)、cdma2000などの無線技術を実装することができる。UTRAは、広帯域CDMA(WCDMA（登録商標）)およびCDMAの他の変形形態を含む。CDMA2000は、IS-2000、IS-95、およびIS-856規格をカバーする。TDMAネットワークは、広域移動通信システム(GSM（登録商標）:Global System for Mobile Communications)などの無線技術を実装し得る。OFDMAネットワークは、発展型UTRA(E-UTRA:Evolved UTRA)、ウルトラモバイルブロードバンド(UMB:Ultra Mobile Broadband)、IEEE802.11(Wi-Fi)、IEEE802.16(WiMAX)、IEEE802.20、Flash-OFDMA(登録商標)などの無線技術を実装し得る。UTRAおよびE-UTRAは、ユニバーサルモバイルテレコミュニケーションシステム(UMTS)の一部である。3GPP Long Term Evolution(LTE)およびLTE-Advanced(LTE-A)は、E-UTRAを用いるUMTSの新しいリリースである。UTRA、E-UTRA、UMTS、LTE、LTE-AおよびGSM（登録商標）は、「3rd Generation Partnership Project」(3GPP)と称する組織からの文書に記載されている。CDMA2000およびUMBは、「3rd Generation Partnership Project 2」(3GPP2)という名称の組織からの文書で説明されている。本明細書で説明される技法は、上記のワイヤレスネットワークおよび無線技術、ならびに他のワイヤレスネットワークおよび無線技術で使用され得る。明快のために、本技法のいくつかの態様が、以下ではLTEに関して説明され、以下の説明の大部分でLTE用語が使用される。
【００１５】
［例示的なワイヤレスネットワーク］
図1は、LTEネットワークであり得るワイヤレス通信ネットワーク100を示している。ワイヤレスネットワーク100は、いくつかの発展型ノードB(eNB)110と他のネットワークエンティティとを含み得る。eNBは、ユーザ機器デバイス(UE)と通信する局であり得、基地局、ノードB、アクセスポイントなどとも呼ばれ得る。各eNB110は、特定の地理的な領域に対し通信カバレージを提供することができる。3GPPでは、「セル」という用語は、この用語が使用される状況に応じて、eNBのカバレージエリアおよび/またはこのカバレージエリアにサービスしているeNBサブシステムを指すことがある。
【００１６】
eNBは、マクロセル、ピコセル、フェムトセル、および/または他のタイプのセルに通信カバレージを提供し得る。マクロセルは、比較的大きい地理的エリア(たとえば、半径数キロメートル)をカバーし得、サービスに加入しているUEによる無制限アクセスを可能にし得る。ピコセルは、比較的小さい地理的エリアをカバーし得、サービスに加入しているUEによる無制限アクセスを可能にし得る。フェムトセルは、比較的小さい地理的エリア(たとえば、家)をカバーし得、フェムトセルとの関連を有するUE(たとえば、限定加入者グループ(CSG)中のUE、家の中のユーザのUEなど)による限定アクセスを可能にし得る。マクロセルのためのeNBは、マクロeNB(すなわち、マクロ基地局)と呼ばれ得る。ピコセルのためのeNBは、ピコeNB(すなわち、ピコ基地局)と呼ばれ得る。フェムトセルのためのeNBは、フェムトeNB(すなわち、フェムト基地局)またはホームeNBと呼ばれ得る。図1に示す例では、eNB110a、110b、および110cは、それぞれ、マクロセル102a、102b、および102cのマクロeNBであり得る。eNB110xは、ピコセル102xのピコeNBであり得る。eNB110yおよび110zは、それぞれ、フェムトセル102yおよび102zのフェムトeNBであり得る。eNBは、1つまたは複数(たとえば、3つ)のセルをサポートし得る。
【００１７】
ワイヤレスネットワーク100はまた、中継局を含み得る。中継局は、上流の局(たとえば、eNBまたはUE)からデータおよび/または他の情報の伝送を受信し、下流の局(たとえば、UEまたはeNB)へデータおよび/または他の情報の伝送を送信する局である。中継局はまた、他のUEのための伝送を中継するUEであり得る。図1に示す例では、中継局110rは、eNB110aとUE120rとの間の通信を可能にするために、eNB110aおよびUE120rと通信し得る。中継局はまた、リレーeNB、リレーなどとも呼ばれ得る。
【００１８】
ワイヤレスネットワーク100は、様々なタイプのeNB、たとえば、マクロeNB、ピコeNB、フェムトeNB、リレーなどを含む異種ネットワーク(HetNet)であり得る。これらの様々なタイプのeNBは、様々な送信電力レベル、様々なカバレージエリア、およびワイヤレスネットワーク100中での干渉に対する様々な影響を有し得る。たとえば、マクロeNBは高い送信電力レベル(たとえば、20ワット)を有し得、一方、ピコeNB、フェムトeNBおよびリレーはより低い送信電力レベル(たとえば、1ワット)を有し得る。
【００１９】
ワイヤレスネットワーク100は、同期動作または非同期動作をサポートし得る。同期動作の場合、eNBは同様のフレームタイミングを有し得、異なるeNBからの送信は近似的に時間的に整合され得る。非同期動作の場合、eNBは異なるフレームタイミングを有し得、異なるeNBからの送信は時間的に整合されないことがある。本明細書で説明する技法は、同期動作と非同期動作の両方のために使用され得る。
【００２０】
ネットワークコントローラ130は、eNBのセットに結合し、これらのeNBの調整および制御を行い得る。ネットワークコントローラ130は、バックホールを介してeNB110と通信し得る。eNB110はまた、たとえば、直接または間接的にワイヤレスバックホールまたはワイヤラインバックホールを介して互いに通信し得る。
【００２１】
UE120は、ワイヤレスネットワーク100全体に分散され得、各UEは固定式または移動式であり得る。UEは、端末、移動局、加入者ユニット、局などとも呼ばれ得る。UEは、セルラー電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、タブレットなどであり得る。UEは、マクロeNB、ピコeNB、フェムトeNB、リレーなどと通信することが可能であり得る。図1では、両側に矢印がある実線が、UEとサービングeNBとの間の所望の伝送を示し、サービングeNBは、ダウンリンクおよび/またはアップリンクでUEをサービスするように指定されるeNBである。両矢印の破線は、UEとeNBとの間の干渉する伝送を示している。いくつかの態様では、UEは、LTEリリース10 UEを含み得る。
【００２２】
LTEは、ダウンリンクで直交周波数分割多重化(OFDM)を利用し、かつアップリンクでシングルキャリア周波数分割多重化(SC-FDM)を利用する。OFDMおよびSC-FDMは、システムの帯域幅を複数の(K個の)直交サブキャリアに分割し、この複数の直交サブキャリアは、一般に、トーン、ビンなどとも呼ばれる。各サブキャリアはデータを変調され得る。一般に、変調シンボルは、OFDMでは周波数領域で、SC-FDMでは時間領域で送られる。隣接するサブキャリア間の間隔は固定され得、サブキャリアの総数(K)は、システム帯域幅に依存し得る。たとえば、Kは、1.4、3、5、10、または20メガヘルツ(MHz)のシステム帯域幅に対して、それぞれ、128、256、512、1024、または2048に等しくなり得る。システム帯域幅はまた、サブバンドに分割され得る。たとえば、サブバンドは1.08MHzをカバーし得、1.4、3、5、10、または20MHzのシステム帯域幅に対して、それぞれ、1、2、4、8、または16個のサブバンドが存在し得る。
【００２３】
図2は、LTEにおいて使用されるフレーム構造を示している。ダウンリンクの送信タイムラインは無線フレームの単位に区分され得る。各無線フレームは、所定の持続時間(たとえば、10ミリ秒(ms))を有し得、0〜9のインデックスをもつ10個のサブフレームに区分され得る。各サブフレームは、2つのスロットを含み得る。したがって、各無線フレームは、0〜19のインデックスをもつ20個のスロットを含み得る。各スロットは、L個のシンボル期間を含み得、たとえば、(図2に示すように)ノーマルサイクリックプレフィックスの場合はL=7のシンボル期間を含むか、または拡張サイクリックプレフィックスの場合はL=6のシンボル期間を含み得る。各サブフレーム中の2L個のシンボル期間には0〜2L-1のインデックスが割り当てられ得る。利用可能な時間周波数リソースはリソースブロックに区分され得る。各リソースブロックは、1つのスロット中のN個のサブキャリア(たとえば、12個のサブキャリア)をカバーし得る。
【００２４】
LTEでは、eNBは、eNBの各セルに対して、1次同期信号(PSS)と2次同期信号(SSS)とを送り得る。1次同期信号および2次同期信号は、図2に示すように、ノーマルサイクリックプレフィックスをもつ各無線フレームのサブフレーム0および5の各々の中の、それぞれ、シンボル期間6および5中で送られ得る。同期信号は、セル検出および捕捉のためにUEによって使用され得る。eNBは、サブフレーム0のスロット1中のシンボル期間0〜3中で物理ブロードキャストチャネル(PBCH)を送り得る。PBCHはあるシステム情報を搬送し得る。
【００２５】
eNBは、図2に示すように、各サブフレームの最初のシンボル期間中で物理制御フォーマットインジケータチャネル(PCFICH)を送り得る。PCFICHは、制御チャネルのために使用されるいくつか(M個)のシンボル期間を搬送し得、ここで、Mは、1、2、または3に等しくなり得、サブフレームごとに変化し得る。Mはまた、たとえば、リソースブロックが10個未満である、小さいシステム帯域幅では4に等しくなり得る。eNBは、各サブフレームの最初のM個のシンボル期間中で物理HARQインジケータチャネル(PHICH)と物理ダウンリンク制御チャネル(PDCCH)とを送り得る(図2に図示せず)。PHICHは、ハイブリッド自動再送要求(HARQ)をサポートするための情報を搬送し得る。PDCCHは、UEに対するリソースの割振りに関する情報と、ダウンリンクチャネルに対する制御情報とを搬送し得る。eNBは、各サブフレームの残りのシンボル期間中に物理ダウンリンク共有チャネル(PDSCH)を送り得る。PDSCHは、ダウンリンク上でのデータ送信のためにスケジュールされたUEのためのデータを搬送し得る。LTEにおける様々な信号およびチャネルは、公開されている「Evolved Universal Terrestrial Radio Access(E-UTRA)、Physical Channels and Modulation」と題する3GPP TS 36.211に記載されている。
【００２６】
eNBは、eNBによって使用されるシステム帯域幅の中心1.08MHzにおいてPSS、SSS、およびPBCHを送り得る。eNBは、これらのチャネルが送られる各シンボル期間の中の、システム帯域幅全体にわたってPCFICHおよびPHICHを送り得る。eNBは、システム帯域幅のいくつかの部分においてUEのグループにPDCCHを送り得る。eNBは、システム帯域幅の特定の部分において特定のUEにPDSCHを送り得る。eNBは、すべてのUEにブロードキャスト方式でPSS、SSS、PBCH、PCFICH、およびPHICHを送り得、特定のUEにユニキャスト方式でPDCCHを送り得、特定のUEにユニキャスト方式でPDSCHを送り得る。
【００２７】
各シンボル期間においていくつかのリソース要素が利用可能であり得る。各リソース要素は、1つのシンボル期間において1つのサブキャリアをカバーし得、実数値または複素数値であり得る1つの変調シンボルを送るために使用され得る。各シンボル期間において基準信号に使用されないリソース要素は、リソース要素グループ(REG)に構成され得る。各REGは、1つのシンボル期間に4つのリソース要素を含み得る。PCFICHは、シンボル期間0において、周波数上でほぼ等しく離間され得る、4つのREGを占有し得る。PHICHは、1つまたは複数の構成可能なシンボル期間において、周波数上で拡散され得る、3つのREGを占有し得る。たとえば、PHICHのための3つのREGは、すべてシンボル期間0に属し得るか、またはシンボル期間0、1、および2に分散され得る。PDCCHは、最初のM個のシンボル期間において、利用可能なREGから選択され得る、9、18、32、または64個のREGを占有し得る。REGのいくつかの組合せのみがPDCCHに対して許可され得る。
【００２８】
UEは、PHICHおよびPCFICHのために使用される特定のREGを知り得る。UEは、PDCCHを求めてREGの異なる組合せを探索し得る。探索すべき組合せの数は、通常、PDCCHに対して許可される組合せの数よりも少ない。eNBは、UEが探索することになる組合せのいずれかでUEにPDCCHを送り得る。
【００２９】
図2Aは、LTEにおけるアップリンクのための例示的なフォーマット200Aを示している。アップリンクのための利用可能なリソースブロックは、データセクションと制御セクションとに区分され得る。制御セクションは、システム帯域幅の2つのエッジにおいて形成され得、構成可能なサイズを有し得る。制御セクション中のリソースブロックは、制御情報を送信するためにUEに割り当てられ得る。データセクションは、制御セクション中に含まれないすべてのリソースブロックを含み得る。図2Aの設計により、データセクション中の連続するサブキャリアのすべてを単一のUEに割り当てられることを可能にし得る、連続するサブキャリアを含むデータセクションが得られる。
【００３０】
UEには、eNBに制御情報を送信するために、制御セクション中のリソースブロックが割り当てられ得る。UEにはまた、eNBにデータを送信するためにデータセクション中のリソースブロックが割り当てられ得る。UEは、制御セクション中の割り当てられたリソースブロック上の物理アップリンク制御チャネル(PUCCH)210a、210b中で制御情報を送信し得る。UEは、データセクション中の割り当てられたリソースブロック上の物理アップリンク共有チャネル(PUSCH)220a、220b中でデータのみまたはデータと制御情報の両方を送信し得る。アップリンク送信は、サブフレームの両方のスロットにわたり得、図2Aに示すように周波数上でホッピングし得る。
【００３１】
UEは、複数のeNBのカバレージ内にあり得る。そのUEにサービスするために、これらのeNBのうちの1つが選択され得る。サービングeNBは、受信電力、経路損失、信号対雑音比(SNR)など、様々な基準に基づいて選択され得る。
【００３２】
UEは、UEが1つまたは複数の干渉eNBからの高い干渉を観測し得る支配的干渉シナリオにおいて動作し得る。支配的干渉シナリオは、制限された関連付けにより発生し得る。たとえば、図1では、UE120yは、フェムトeNB110yに近接し得、eNB110yについて高い受信電力を有し得る。しかしながら、UE120yは、制限された関連付けによりフェムトeNB110yにアクセスすることができないことがあり、そこで(図1に示すように)受信電力がより低いマクロeNB110cまたはやはり受信電力がより低いフェムトeNB110z(図1に図示せず)に接続し得る。その場合、UE120yは、ダウンリンク上でフェムトeNB110yからの高い干渉を観測し得、また、アップリンク上でeNB110yに高い干渉を引き起こし得る。
【００３３】
支配的干渉シナリオはまた、範囲拡張により発生し得、これは、UEによって検出されたすべてのeNBのうち、より低い経路損失とより低いSNRとをもつeNBにUEが接続するシナリオである。たとえば、図1では、UE120xは、マクロeNB110bとピコeNB110xとを検出し得、eNB110xについて、eNB110bよりも低い受信電力を有し得る。それにもかかわらず、ピコeNB110xの経路損失がマクロeNB110bの経路損失よりも低い場合、UE120xがeNB110xに接続することが望ましいことがある。これにより、UE120xの所与のデータレートに対してワイヤレスネットワークへの干渉が少なくなり得る。
【００３４】
一態様では、支配的干渉シナリオにおける通信は、異なるeNBを異なる周波数帯域上で動作させることによってサポートされ得る。周波数帯域は、通信のために使用され得、(i)中心周波数および帯域幅、または(ii)低域周波数および高域周波数によって与えられ得る周波数範囲である。周波数帯域は、帯域、周波数チャネルなどとも呼ばれ得る。異なるeNBのための周波数帯域は、強いeNBがそれのUEと通信することを可能にしながら、支配的干渉シナリオにおいてUEがより弱いeNBと通信することができるように選択され得る。eNBは、(eNBの送信電力レベルに基づかずに)UEにおいて受信されたeNBからの信号の受信電力に基づいて「弱い」eNBまたは「強い」eNBとして分類され得る。
【００３５】
本開示のいくつかの態様によれば、ネットワークが拡張セル間干渉協調(eICIC)をサポートするとき、基地局は、干渉セルがそれのリソースの一部を断念することによって干渉を低減するかまたはなくすためにリソースを調整するように互いにネゴシエートし得る。この干渉協調によれば、UEは、干渉セルによってもたらされるリソースを使用することによって、厳しい干渉があっても、サービングセルにアクセスすることが可能であり得る。
【００３６】
たとえば、オープンマクロセルのカバレージエリア中のクローズドアクセスモードにあるフェムトセル(すなわち、ここで、メンバーフェムトUEしかセルにアクセスすることができない)は、リソースをもたらし、干渉を効果的に除去することによってマクロセルのための(フェムトセルのカバレージエリア中の)「カバレージホール」を作成することが可能であり得る。リソースをもたらすようにフェムトセルについてネゴシエートすることによって、フェムトセルカバレージエリアの下のマクロUEは、依然として、これらのもたらされたリソースを使用してUEのサービングマクロセルにアクセスすることが可能であり得る。
【００３７】
発展型ユニバーサル地上波無線アクセスネットワーク(E-UTRAN)など、OFDMを使用する無線アクセスシステムでは、もたらされるリソースは、時間ベース、周波数ベース、または両方の組合せであり得る。協調リソース区分が時間ベースであるとき、干渉セルは、時間領域中のサブフレームのいくつかを単に使用しないことがある。協調リソース区分が周波数ベースであるとき、干渉セルは、周波数領域中にサブフレームをもたらし得る。周波数と時間の両方の組合せの場合、干渉セルは、周波数リソースと時間リソースとをもたらし得る。
【００３８】
図3は、図1の基地局/eNBのうちの1つおよびUEのうちの1つであり得る、基地局またはeNB110およびUE120の設計のブロック図である。制限された関連付けシナリオの場合、eNB110は図1のマクロeNB110cであり得、UE120はUE120yであり得る。eNB110はまた、何らかの他のタイプの基地局であり得る。eNB110はT個のアンテナ334a〜334tを備え得、UE120はR個のアンテナ352a〜352rを備え得、ここで、一般に、T≧1およびR≧1である。
【００３９】
eNB110において、送信プロセッサ320は、データソース312からデータを受信し、コントローラ/プロセッサ340から制御情報を受信し得る。制御情報は、PBCH、PCFICH、PHICH、PDCCHなどのためのものであり得る。データは、PDSCHなどのためのものであり得る。送信プロセッサ320は、データと制御情報とを処理(たとえば、符号化およびシンボルマッピング)して、それぞれデータシンボルと制御シンボルとを取得し得る。送信プロセッサ320はまた、たとえば、PSS、SSS、およびセル固有基準信号のための参照シンボルを生成し得る。送信(TX)多入力多出力(MIMO)プロセッサ330は、適用可能な場合、データシンボル、制御シンボル、および/または基準シンボルに対して空間処理(たとえば、プリコーディング)を実行し得、T個の変調器(MOD)332a〜332tにT個の出力シンボルストリームを提供し得る。各変調器332は、(たとえば、OFDMなどの)それぞれの出力シンボルストリームを処理して、出力サンプルストリームを取得し得る。各変調器332はさらに、出力サンプルストリームを処理(たとえば、アナログ変換、増幅、フィルタ処理、およびアップコンバート)して、ダウンリンク信号を取得し得る。変調器332a〜332tからのT個のダウンリンク信号は、それぞれT個のアンテナ334a〜334tを介して送信され得る。
【００４０】
UE120において、アンテナ352a〜352rは、eNB110からダウンリンク信号を受信し得、受信された信号を、それぞれ復調器(DEMOD)354a〜354rに提供し得る。各復調器354は、それぞれの受信信号を調整(たとえば、フィルタ処理、増幅、ダウンコンバート、およびデジタル化)して入力サンプルを取得し得る。各復調器354はさらに、(たとえば、OFDMなどの)入力サンプルを処理して受信シンボルを取得し得る。MIMO検出器356は、すべてのR個の復調器354a〜354rから受信シンボルを取得し、適用可能な場合は受信シンボルに対してMIMO検出を実行し、検出されたシンボルを提供し得る。受信プロセッサ358は、検出されたシンボルを処理(たとえば、復調、デインターリーブ、および復号)し、UE120のための復号されたデータをデータシンク360に提供し、復号された制御情報をコントローラ/プロセッサ380に提供し得る。
【００４１】
アップリンク上では、UE120において、送信プロセッサ364は、データソース362から(たとえば、PUSCHのための)データを受信し、処理し、コントローラ/プロセッサ380から(たとえば、PUCCHのための)制御情報を受信し、処理し得る。送信プロセッサ364はまた、基準信号のための基準シンボルを生成し得る。送信プロセッサ364からのシンボルは、適用可能な場合、TX MIMOプロセッサ366によってプリコードされ、さらに(たとえば、SC-FDMなどのために)変調器354a〜354rによって処理され、eNB110に送信され得る。eNB110において、UE120からのアップリンク信号は、アンテナ334によって受信され、復調器332によって処理され、適用可能な場合、MIMO検出器336によって検出され、さらに受信プロセッサ338によって処理されて、UE120によって送られた復号されたデータと制御情報とを取得し得る。受信プロセッサ338は、データシンク339に復号されたデータを提供し、コントローラ/プロセッサ340に復号された制御情報を提供し得る。
【００４２】
コントローラ/プロセッサ340および380は、それぞれeNB110およびUE120における動作を指示し得る。コントローラ/プロセッサ340、受信プロセッサ338、ならびに/またはeNB110における他のプロセッサおよびモジュールは、本明細書で説明する技法の動作および/または処理を実行または指示し得る。メモリ342および382は、それぞれeNB110およびUE120のためのデータおよびプログラムコードを記憶し得る。スケジューラ344は、ダウンリンクおよび/またはアップリンク上でのデータ送信のためにUEをスケジュールし得る。
【００４３】
［信頼できるWLANアクセスを通したWIFIオフロードのための例示的な技法］
モバイルデータサービスにアクセスするワイヤレス加入者の数とモバイルデータサービスを使用するアプリケーションの数とが増加し続けるのに伴い、モバイル事業者は、それらの認可スペクトルのトラフィック増加をサポートする課題に遭遇している。ネットワーク容量を拡大するための1つの手法は、ワイヤレスローカルエリアネットワーク(WLAN)に一定のトラフィックをオフロードすることである。いくつかの規格化団体(たとえば、3GPP規格化団体)は、ワイヤレスワイドエリアネットワーク(WWAN)からWLANにトラフィックをオフロードする方法を規定することに取り組んでいる。シナリオのうちの1つは、(「S2a Mobility based On GTP(汎用パケット無線サービス(GPRS)トンネリングプロトコル)」をSaMOGと表す)事業者によって展開されたWiFiホットスポットを通したWLANオフロードである。残念ながら、既存の規格(たとえば、3GPP Rel-11 SaMOG)は、単一のパケットデータネットワーク(PDN)接続しかサポートしていない。
【００４４】
現在の規格(たとえば、Rel-11)によれば、SaMOGは、様々な特徴および/または制限を有し得る。1つの例示的な特徴/制限は、UEと信頼できるワイヤレスアクセスゲートウェイ(TWAG)との間のユーザ機器(UE)ごとのポイントツーポイントリンクを用いる(インターネットプロトコル(IP)保存なしの)WLANを介したデフォルトアクセスポイント名(APN)へのPDN接続であり得る。Rel-11 SaMOGでは、レイヤ2は、拡張可能認証プロトコル(EAP)認証(たとえば、信頼できるWAN(TWAN)によってトリガされたPDN接続セットアップ)によってトリガされ得る。代替的に、Rel-11 SaMOGでは、レイヤ3は、動的ホスト制御プロトコル(DHCP)(たとえば、UEによってトリガされたPDN接続セットアップ)によってトリガされ得る。
【００４５】
IPアドレス保存のあるTWANと3GPPアクセスとの間のハンドオーバ、非デフォルトAPNへの接続性、追加PDNへのUE主導型接続性、ならびに同時非シームレスワイヤレスオフロード(NSWO)および発展型パケットコア(EPC)アクセスなど、いくつかの特徴がRel-11 SaMOGによってサポートされ得ない。
【００４６】
したがって、WLANオフロードによってネットワーク容量を拡大する手法が望ましい。たとえば、IP保存、非デフォルトAPNおよび複数のPDN接続に接続する能力、同時非シームレスワイヤレスオフロードおよびインターワーキングWLAN、ならびにPDN接続を区別する能力をサポートするソリューション、Rel-11との後方互換性が望ましい。
【００４７】
本明細書では、IP保存を維持しながらワイヤレスオフロードのために複数のPDN接続をサポートし、さらに、前の(たとえば、プリRel-12)ソリューションとの後方互換性を保持する、ワイヤレスオフロードのための技法および装置が提供される。これらの技法は、UE実装複雑性を低減し得、規格準拠製品(たとえば、ロングタームエボリューション(LTE)Rel-12 SaMOG準拠製品)を提供し得る。本技法は、アプリケーションプロセッサ(AP)上の高レベルオペレーティングシステム(HLOS)上で実行される現在のDHCPにいかなる変更も必要とし得ない。
【００４８】
以下でより詳細に説明するように、本技法は、PDN接続を確立するための新しい制御プロトコルを伴い得る。いくつかの態様によれば、新しい制御プロトコルは、モデム上で実行され得る。この手法は、IPアドレスを得るためにDHCPを使用するPDN接続をUEが記憶する必要をなくし得る。この手法はまた、UE複雑性を回避し、前方互換性を与え、IPv6限定ベアラケースをサポートし得る。
【００４９】
複数のWLANオフロードシナリオが可能である。一例は、WWANを用いるインターワーキングWLAN(IWLAN:interworking WLAN with WWAN)である。いくつかの態様によれば、WLANは、EPCにアクセスし、WLANとWWANとの間のモビリティを可能にするために使用され得る。この例では、WLANとWWANとの間のハンドオーバ(HO)中にIP連続性が維持され得る。さらに、WLANを介した複数のアクセスポイント名(APN)への同時アクセスがサポートされ得る。(多元接続PDN接続性(MAPCON:multiple access PDN connectivity)と呼ばれ得る)WLANとWWANとを同時に介した複数のPDN接続もサポートされ得る。たとえば、WLAN接続を介した事業者アプリケーションのトラフィックと同時WWAN接続を介したIPマルチメディアサブシステム(IMS)トラフィックとがサポートされ得る。そのような場合、粒度は、所与のAPNのすべてのPDN接続にあり得る。同時接続性のためにデュアル無線(たとえば、WLANのための無線とWWANのための無線)が使用され得る。いくつかの態様では、ローカルブレークアウトが使用され得る。WLANは、EPCを通ることなしに直接インターネットにアクセスするために使用され得る(たとえば、インターネットトラフィックはWWANを介するがインターネットAPNに移動し得る)。
【００５０】
いくつかの態様によれば、様々なEPCアクセスオプションがあり得、EPCアクセスオプションは、WLANが信頼できるか信頼できないかに依存し得、それは、WiFiホットスポットが事業者所有のものであるかどうかとホットスポットのセキュリティポリシーとに依存し得る。
【００５１】
図4に、本開示のいくつかの態様による、IWLANおよびEPCアクセスのためにS5、S2a、およびS2bを使用する例示的な非ローミング発展型パケットサービス(EPS)ワイヤレスネットワークアーキテクチャ400を示す。図示のように、ネットワーク400の一部分は、ホームパブリックランドモバイルネットワーク(HPLMN:home public land mobile network)402であり得、ネットワークの一部分は、非3GPPネットワーク404から構成され得る。
【００５２】
いくつかの態様によれば、IWLANオプションは、S2a、S2b、およびS2cを含み得る。S2aは、図4に示すように一般的なGTPを使用する信頼できるWLANアクセスを与え得る。S2aソリューションでは、WLANアクセスは信頼できる接続406と見なされるので、このオプションのために発展型パケットデータゲートウェイ(ePDG)408またはIPsecトンネルが使用され得ない。代わりに、WLANを選択し、それに接続し、次いで、EPCとの接続性を確立するためにWLANアクセスネットワークとシグナリングを交換するUE410によって接続性が管理される。
【００５３】
別のオプションでは、やはり図4に示すように、信頼できないWLANアクセス412のためにS2bが使用され得る。S2bソリューションでは、UE410は、EPCへのWLANを介したPDN接続を確立する。WLANアクセス412が信頼できないので、ePDG408は、UE410とPDNゲートウェイ414との間の通信を仲介する。いくつかの事例では、UE410とePDG408との間にインターネットプロトコルセキュリティ(IPsec)トンネルを確立することによって、UE410は、ePDG408に制御およびユーザプレーンデータをトンネリングし得る。次に、ePDGは、適切なPDNゲートウェイ414へのGTPまたはプロキシモバイルインターネットプロトコル(PMIP)トンネルを確立する。
【００５４】
図4には示されていないが、信頼できるWLANアクセス406または信頼できないWLANアクセス412のためにS2cも使用され得る。WLANアクセスが信頼できないWLANアクセス412である場合、ePDG408へのIPsecトンネルが使用され得、一方、WLANアクセスが信頼できるWLANアクセス406である場合、IPsecトンネルは使用され得ない。S2cソリューションでは、UE410は、デュアルスタックモバイルIP(DSMIP:Dual Stack Mobile IP)を使用してPDNゲートウェイ414に直接接続し得る。
【００５５】
図5に、(たとえば、信頼できるWLANアクセスネットワーク406と同様の)信頼できるWLANアクセスネットワーク506を含む、S2aベースの(SaMOGベースの)ソリューションのためのネットワークアーキテクチャ500を示す。信頼できるWLANアクセスネットワーク506はTWAG507を含み得る。図5に示すように、(たとえば、PDNゲートウェイ414と同様の)PDNゲートウェイ(PGW)514、515は、複数のPDN(たとえば、PDN#1 516、PDN#2 518、PDN#3 520)にアクセスし得る。
【００５６】
図6に、(たとえば、信頼できるアクセス406、506と同様の)信頼できるWLANアクセスゲートウェイ(TWAG)システム600におけるトンネル管理のための制御プレーン602とユーザプレーン604とを示す。図6に示すように、(たとえば、UE510と同様の)UE610との間のトラフィックは、(たとえば、TWAN506と同様の)TWAN606と(たとえば、PGW514、515と同様の)PGW614との間をS2aを介して移動し得る。TWAN606は、PGW614にトラフィックをルーティングし得る。
【００５７】
図7に、単一の接続(PDNまたはNSWO)に関するIP連続性/保存を達成し得る制御プロトコルのための例示的なコールフロー700を示す。図7に示すように、1におけるWLANの発見および選択の後に、2において、UE710とTWAN706との間でEAP認証が実行され得る。図7に示す例では、EAP認証プロシージャ(図7の2)中に、UE710、TWAN706、ならびに3GPP認証、許可およびアカウンティング(AAA)サーバ718は、EPCへの信頼できるWLANアクセスがサポートされるかどうかを判断し得る。PDN接続がS2aを介して確立される場合、GREトンネル(またはPDN接続を識別するための任意の他の手法)は使用され得ない。S2aステップは、図では点線で示されている。
【００５８】
EAP認証プロシージャの後に、UE710は、TWAN706にEAP応答を送り得る。WLANオフロードプロシージャにおいてIP保存を達成するために、EAP応答に対して1つまたは複数の情報要素をもつベンダー固有の「スキップ可能」属性が定義され得る。いくつかの実装形態では、EAP応答中に含まれる属性は、HO指示および/またはUE710が第1の接続として接続しようとしているAPNのAPN名を含み得る。いくつかの態様によれば、NSWOは、特定のAPN名として定義され得る。代替的に、UEは、WWANを介してそれが接続したPDNのAPNリストを与え得、ネットワークは、第1の接続として1つを選定し得る。
【００５９】
いくつかの態様によれば、HO指示は、IP保存を提供し得、APN名の指示は、UEが非デフォルトAPNおよび複数のPDN接続に接続することを可能にし得る。たとえば、ハンドオーバがWWANからのものである場合、UE710は、ネットワークにEAP応答中でHOを示し得る(また、それが第1のPDNとしてコンテキストを転送することを希望するAPN名を含め得る)。UE710がHOを示さない場合、EAP応答は、最初の接続要求を示す。
【００６０】
UE710がAPN名(またはNSWO)を指定する場合、ネットワークは、第1の接続のための選択されたAPN名(またはNSWO)で返答する。UE710がAPN名を指定しない場合、ネットワークは、第1の接続のためのデフォルトAPN名で返答する。ネットワークは、UE710へのEAPシグナリング中にAPN名を含め得る。たとえば、TWAN706は、EAP応答に応答して、UE710にEAP要求/成功シグナリングを送り得、EAP要求/成功は、APN名またはNSWOを示し得る。
【００６１】
「スキップ可能」は、対応する特徴をサポートしないデバイスが単にその特徴を無視するか、またはスキップし得ることを意味し得る。したがって、UE710またはTWAN706のいずれかがスキップ可能属性をサポートしない場合、オフロードプロトコル700は、以前に定義されたように継続し得る。属性がスキップ可能であり得るので、図7に示す手法は、追加の属性をサポートし得ないUEまたはネットワークとの(たとえば、Rel-11との)後方互換性があり得る。たとえば、UE710が、EAPメッセージング中にHO指示およびAPN名を含めない(たとえば、UEが追加の属性をサポートしない)場合、プロセス700は、Rel-11にフォールバックし得る。さらに、UEが、EAPメッセージング中にHO指示および/またはAPN名を含めるが、ネットワークが、追加の特徴をサポートしないか、またはEAPメッセージング中にAPN名を含めない場合、プロセス700は、やはり、Rel-11にフォールバックし得る。
【００６２】
図7に見られるように、3において、UE710は、次いで、DHCPおよびルータ要請/ルータ認証(RS/RA)を通してIPアドレスを取得し得る。ベンダー固有のDHCPオプションは、事業者予約済みのプロトコル構成オプション(PCO:protocol configuration option)を取得するために使用され得る。
【００６３】
図7に示す手法は、新しいUE実装形態を伴い得る。データ経路上で、IPアドレスは、アプリケーションがそれに関して知ることなしにシームレスな方式でアプリケーションプロセッサ(AP)上でWWANとWLANアダプタとの間で移動され得る。事業者予約済みのPCOが必要である場合、ベンダー固有のDHCPオプションが望ましいことがあり、第1の接続がPDNである場合、DHCPはモデム上で使用され得る。この場合、事業者予約済みのPCOが、使用され、IPv4限定ベアラケース、IPv6限定ベアラケース、およびIPv4v6ベアラケースで動作し得る場合、TWANがベンダー固有のDHCPオプションをサポートすることが望ましいことがある。
【００６４】
図8に、本開示のいくつかの態様による、PDNまたはNSWOのいずれかである単一の接続に関する使用事例について説明するコールフロー800を示す。図8に示すように、HOおよびAPN/NSWOの指示に加えて、EAP応答は、複数のPDN接続をサポートするUEの能力の指示をも含むように拡張され得る。たとえば、図8に示す実施形態では、UE810は、それがマルチPDN対応であることを(2の)EAP応答で示す。ネットワークからUEへの方向では、ネットワークは、第1の接続がAPNであるのかNSWOであるかの指示を送り得る。「NSWO」は、第1の接続がNSWOであることを示し得る。APN名は、受信される場合、第1の接続としてネットワークが接続するAPNであり得る。
【００６５】
図8に示すように、EAP要求/成功は、それが、単一の接続(PDN/NSWO)をサポートするのか、またはNSWOありまたはなしのマルチPDN接続をサポートするのかの指示をも与えるように拡張され得る。たとえば、図8に示す実施形態では、TWAN806は、(2の)EAP要求/成功メッセージ中でネットワークが単一のPDNのみをサポートすることを示す。
【００６６】
拡張EAPシグナリングは、UE710がマルチPDNをサポートすることをネットワークに通知し、ネットワークが単一のPDNをサポートすることをUEに通知する。図8に、プリRel-11との後方互換性を示す。この場合、PDNまたはNSWOである第1の接続のためのIPアドレスを取得するためにDHCPおよびRS/RAが使用される。
【００６７】
図9に、本開示のいくつかの態様による、NSWOありの1つまたは複数のPDNに関する使用事例について説明するコールフロー900を示す。図9に示すように、2において、UE910は、EAP応答中でUE910がマルチPDN接続をサポートすることを示し、ネットワークはまた、EAP要求/成功中でそれが複数のPDN接続をサポートすることを示す。
【００６８】
いくつかの態様によれば、PDN関連情報要素を搬送するための制御プロトコルがPDN接続をセットアップするために使用され得る。PDN接続は、リンクレイヤまたはネットワークレイヤトンネル(たとえば、コールフローに示すようなGREトンネル)を使用し得る。UEからネットワークへの方向では、新しい制御プロトコルまたは既存のプロトコルの拡張であり得、標準的なDHCPではない制御プロトコルは、頭文字またはハンドオーバの指示であるAPN名とPCOとをシグナリングし得る。たとえば、UE910は、PDN接続性要求メッセージ中でTWAN906に情報をシグナリングし得る。
【００６９】
ネットワークからUEへの方向では、ネットワークは、UE910にPDN IDと、IPアドレスと、PCOとをシグナリングし得る。たとえば、TWAN906は、PDN接続性完了メッセージ中でUE910に情報をシグナリングし得る。
【００７０】
制御プロトコルは、PDN接続ごとに繰り返され得る。ユーザトラフィックは、トンネル(たとえば、GREトンネル)を介して送信され得る。さらに、複数のPDNがあるとき、トラフィックを区別するためにIPアドレスが使用され得る。新しい制御プロトコルは、ジェネリックアドバタイズメントサービス(GAS)を介して新しい広告プロトコルを含み得る。
【００７１】
いくつかの態様によれば、UEの媒体アクセス制御(MAC)アドレスと、PDN ID(たとえば、GREキー)と、UEのIPアドレスとの組合せは、PDN接続を一意に識別し得る。HSS/AAA918が認証APNとしてワイルドカードを戻す場合、UE910とTWAN906とはPDN ID(たとえば、GREキー)をネゴシエートし得る。
【００７２】
図10に、本開示のいくつかの態様による、NSWOなしの複数のPDNに関する使用事例について説明するコールフロー1000を示す。コールフロー1000に、UE1010が、最初に、WLAN発見および選択を実行し、次いで、選択の後に、UE1010とTWAG1006との間でEAP認証および許可プロシージャが実行されることを示す。図10に示すように、ネットワークが、マルチPDNシナリオを示すが、EAP認証プロシージャ中にNSWOを指定しないので、NSWO IPアドレス割当てのために使用される標準的なDHCPおよび/またはRS/RAプロシージャはスキップされ得る。制御プロトコルは、図8の4に示したNSWOありの1つまたは複数のPDNに関する事例と同じであり得る。
【００７３】
図7〜図10に示す技法は、(たとえば、図7に示したように)プリRel-12技法との後方互換性を保持しながら、単一接続PDN/NSWOをサポートし得る。複数の接続がサポートされる場合、NSWOは、事業者ポリシーによって許可される場合、(たとえば、図9に示すように)第1の接続になり得る。IPアドレスを得るためにDHCPとRS/RAとが使用され得る。代替的に、NSWOが許可されない場合、DHCPおよびRS/RAプロシージャが、(たとえば、図10に示すように)スキップされ得る。PDN接続を確立または解放するために新しい制御プロトコルプロシージャが使用され得る。
【００７４】
本技法は、アプリケーションプロセッサ上のHLOS上で実行され得る現在のDHCPおよびRS/RAへの変更を必要とすることなしに複数のPDN接続およびNSWOを同時にサポートし得る。本明細書で説明する制御プロトコルは、1つまたは複数のPDN接続を確立するために使用され得、モデム上で実行され得る。本手法は、IPアドレスを得るためにDHCPを使用するPDN接続をUEが記憶する必要をなくし得、それによって、UE複雑性を回避する。本技法はまた、たとえば、現在のDHCPおよびRS/RAで一般にサポートされ得ないIPv6限定ベアラ事例をサポートすることによって、「確立されるべき」標準化技法との前方互換性があり得る。本開示のいくつかの実施形態は、既存のシステムに勝る利点を与え得る。NSWO接続と同時に複数のPDN接続が確立され得る。PDN接続のために新しい制御プロトコルが使用され得る。本開示は、3GPP Rel-11 S2a-based mobility over GTP(SaMOG)との後方互換性があり、新しいリリースとの前方互換性があり得る。別の利点は、IPアドレス保存である。さらに別の利点には、同時NSWOおよびEPCアクセスが含まれる。また別の利点は、追加のPDNへのUE主導型接続性である。
【００７５】
図11に、本開示の態様による、たとえば、UEによって実行され得る例示的な動作1100を示す。動作1100は、1102において、UEがWLANを介してネットワークに接続することを決定するとき、UEが複数のパケットデータネットワーク(PDN)接続をサポートすることが可能であるという指示を与えることによって開始し得る。1104において判断されるように、それがマルチPDNシナリオであるというネットワークからの指示をUEが受信しない場合、UEは、PDNゲートウェイによって割り当てられたローカルIPアドレスを得るために、標準的なDHCP(および/またはRS/RA)プロシージャを使用する。
【００７６】
1104において判断されるように、それがマルチPDNシナリオであるというネットワークからの指示をUEが受信し、さらに、1108において判断されるようにNSWOの指示を受信する場合、UEは、1110において、ローカルIPアドレスを得るために標準的なDHCP(および/またはRS/RA)プロシージャを使用し、1112において、PDN接続のIP連続性を保持する形で1つまたは複数のPDN接続性確立プロシージャを介してWLANを通して複数のPDN接続を確立する。UEがNSWOの指示を受信しない場合、動作1110がスキップされる。
【００７７】
図12に、本開示の態様による、たとえば、WLAN中のエンティティによって実行され得る例示的な動作1200を示す。動作1200は、1202において、UEがWLANを介してネットワークに接続することを決定するとき、UEが複数のパケットデータネットワーク(PDN)接続をサポートすることが可能であるという指示を受信することによって開始する。1204において判断されるように、それがマルチPDNシナリオであるというネットワークからの指示をエンティティが与えない場合、エンティティは、(たとえば、PDNゲートウェイによって)ローカルIPアドレスを割り当てるために、標準的なDHCP(および/またはRS/RA)プロシージャを使用する。
【００７８】
1204において判断されるように、それがマルチPDNシナリオであるという指示をエンティティが与え、さらに、1208において判断されるようにNSWOが指定される場合、エンティティは、1210において、ローカルIPアドレスを割り当てるために標準的なDHCP(および/またはRS/RA)プロシージャを使用し、1212において、PDN接続のIP連続性を保持する形で1つまたは複数のPDN接続性確立プロシージャを介してWLANを通して複数のPDN接続を確立する。NSWOが指定されない場合、動作1210がスキップされる。
【００７９】
［信頼できるWLANオフロードのための制御プロトコルのトランスポート］
上記で説明したように、複数のパケットデータネットワーク(PDN)接続、同時PDNおよび非シームレスワイヤレスオフロード(NSWO)接続、ならびにワイヤレスワイドエリアネットワーク(WWAN)とワイヤレスローカルエリアネットワーク(WLAN)との間のハンドオーバ中のIP保存をサポートすることが望ましいことがある。信頼できるWLAN(TWAN)を通したワイヤレスオフロードのための技法について、新しい制御プロトコルを含めて上記で説明した。
【００８０】
対処されるべき1つの問題は、図7〜図12で上記に示したようにユーザ機器(UE)とTWANとの間のPDN接続管理のための制御プロトコルのトランスポートである。
【００８１】
UEとTWANとの間のPDN接続管理のための制御プロトコルのトランスポートのために、本明細書では3つの手法を提供する。第1のソリューションは、制御プロトコルのトランスポートのためにUEとTWANとの間の専用ジェネリックルーティングカプセル化(GRE)トンネルを使用するGREを介した制御プロトコルを伴う。第2のソリューションは、インターネットプロトコル(IP)を介して制御プロトコルをトランスポートすることを伴う。そして、第3のソリューションは、ジェネリックアドバタイズメントサービス(GAS)を介した制御プロトコルのトランスポートを伴う。
【００８２】
図13に、制御プレーントランスポートに対する3つの例示的な手法のためのプロトコルスタックを示す。第1の実施形態1302によれば、制御プロトコル1304は、PHY1310を介してMAC1308を介してUEとTWANとの間の専用GREトンネル1306(または仮想LAN(VLAN))を介してトランスポートされる。第2の実施形態1312によれば、制御プロトコル1314は、PHY1320を介してMAC1318を介してインターネットプロトコル(IP)1316を介してトランスポートされる。第3の実施形態1322では、制御プロトコル1324は、PHY1330を介してMAC1328を介してGAS1326を介してトランスポートされる。
【００８３】
以下の図にいくつかの例示的なコールフローが示されている。これらのコールフローのうちの1つまたは複数に示す技法は、3つの手法に従って、複数のPDN接続、同時NSWOおよびPDN接続、ならびに/またはPDN接続のためのIP保存、ならびに制御プロトコルのトランスポートをサポートし得る。
【００８４】
図14に、IP連続性/保存を達成しながら、専用GREトンネル1420を利用する制御プロトコルによって確立される複数のPDN接続を使用するMACを介したGREを介した制御プロトコルのための第1の例示的な手法による例示的なコールフロー1400を示す。コールフロー1400は、認証のために拡張可能認証プロトコル(EAP)を使用し得る。このコールフローは、他のレイヤ2手法に拡張され得、たとえば、GREトンネル1420の代わりにVLANが使用され得る(相応して、GREキーがVLAN IDによって置き換えられ得る)。
【００８５】
上記で説明したように、EAPは、追加の属性を示すように拡張され得る。図14に示すように、2において、WLANを介して接続すべきネットワークをUE1410が選択した後、UE1410は、UE1410が複数のPDN接続をサポートすることが可能であるという指示を含むEAP応答メッセージを送り得る。3において、PDN接続を確立するための制御プロトコルは、リンクレイヤトンネリングのために1つまたは複数のリンクレイヤあるいはネットワークレイヤトンネル、たとえば、GREまたはVLANを利用し得る。
【００８６】
いくつかの実施形態では、UE1410は、制御プロトコルを搬送するリンクレイヤトンネルを識別するためにPDN ID(たとえば、GREキー)を要求し得る。リンクレイヤトンネルは、専用GREトンネル1420であり得る。たとえば、UE1410は、制御プロトコルのためのPDN ID(たとえば、GREキー)を取得するために、2において、拡張EAPを使用し得る。いくつかの実施形態によれば、PDN IDは、UE1410の静的構成を介して、またはDHCPプロシージャを通して取得され得る。いくつかの実施形態では、3において、NSWO IPアドレスがDHCPを使用して構成され得る。図14に示すように、4において、拡張EAPシグナリングを通して取得されたPDN ID(たとえば、GREキー)を使用して、UE1410は、PDN接続を要求するためにGREトンネル1420を介してTWAN1406にPDN接続性要求メッセージを送り得る。PDN接続性要求メッセージに応答して、TWAN1406は、GREトンネル1420を介してPDN IDを示し得るPDN接続性完了を送り得る。PDN接続が確立された後、このPDN接続を介するデータは、PDN確立プロシージャ中に割り当てられたGREトンネルを介して転送され得る。
【００８７】
図14に示した例示的な手法は、データと制御プレーンとの間の単純性および一貫性の利益を有し得る。
【００８８】
図15に、制御プロトコルがMACを介してIPを介してトランスポートされ得る第2の例示的な手法による例示的なコールフロー1500を示す。この例示的な手法では、NSWOが許可されない場合、UE1510は、GREトンネル(たとえば、図14に示した例示的な手法において使用されるGREトンネル1420など)の代わりに制御プロトコルのトランスポートのためにリンクローカルアドレスまたはNSWOアドレスを使用し得る。いくつかの実施形態では、NSWOが許可される場合、制御プロトコルメッセージングのためのローカルIPアドレスが取得され得る。リンクローカルアドレスは、IPv4またはIPv6リンクローカルアドレスであり得る。
【００８９】
図14に示す例示的な手法は、単純性の利益を有するモデム中心ソリューションであり、上位レイヤソリューションであり得る。
【００９０】
図16に、本開示のいくつかの態様による、制御プロトコルがMACを介してGASを介してトランスポートされ得る第3の例示的な手法によるコールフロー1600を示す。GASは、局(たとえば、UEとTWANと)の間の上位レイヤフレームのトランスポートを与える802.11サービスである。図16に示すように、2において、EAPがいかなる追加の指示も与えないことがあり、代わりに、制御プロトコルがUE1610とTWAN1606との間をGASを介して搬送され得る。
【００９１】
図17に、本開示の態様による、例示的な動作1700を示す。動作1700は、たとえば、図1および図3に関して上記で説明したようにUE120などのUEによって実行され得る。動作1700は、1702において、UEがWLANを介してネットワークに接続することを決定するとき、UEが複数のパケットデータネットワーク(PDN)接続をサポートすることが可能であるという指示を与えることによって開始し得る。
【００９２】
1704において、UEは、WLANを通して複数のPDN接続を確立するためにWLANを介した管理機能のための制御プロトコルを利用し得、WLANは、ワイヤレスワイドエリアネットワーク(WWAN)事業者に関して信頼できるWLAN(TWAN)である。いくつかの態様によれば、管理機能は、ベアラセットアップ、ベアラ変更、ベアラ解放プロシージャ、またはQoSをもつベアラの作成を含み得る。
【００９３】
いくつかの態様によれば、UEは、WLANとWWANとの間にIPフローモビリティ機能を与えるためのIPフローモビリティフィルタを交換するために制御プロトコルを利用し得る。いくつかの態様によれば、制御プロトコルは、リンクレイヤまたはネットワークレイヤトンネルを介してトランスポートされ得、たとえば、GREまたはVLANがリンクレイヤトンネリングのために使用され得る。いくつかの態様によれば、UEは、拡張EAP、静的構成、またはDHCPプロシージャを通してリンクレイヤトンネルを識別するためにGREキーを取得し得る。代替的に、制御プロトコルはIPを使用し得る。たとえば、リンクローカルアドレス(たとえば、IPv4またはIPv6)または制御プロトコルメッセージのトンネリングのためのNSWOがIPを介して取得され得る。いくつかの態様によれば、TWANのためのIPアドレスは、拡張EAP、DHCP、またはマルチキャスト発見を介して取得され得る。
【００９４】
いくつかの態様によれば、制御プロトコルは、GASを介してトランスポートされ得る。
【００９５】
図18に、本開示の態様による、例示的な動作1800を示す。動作1800は、たとえば、図1および図3に関して上記で説明したようにUE120などのUEによって実行され得る。動作1800は、1802において、UEがWLANを介してネットワークに接続することを決定するとき、UEが複数のパケットデータネットワーク(PDN)接続をサポートすることが可能であるという指示を与えることによって開始し得る。
【００９６】
1804において、UEは、ネットワークからの応答として、UEについて非シームレスワイヤレスオフロード(NSWO)ありまたはなしの複数のPDN接続をWLANがサポートするという指示を受信し得る。
【００９７】
1806において、UEは、1つまたは複数のPDN接続のIP連続性を保持する形で1つまたは複数のPDN接続性確立プロシージャを介してWLANを通して1つまたは複数のPDN接続を確立し得る。たとえば、PDN接続は、リンクレイヤまたはネットワークレイヤトンネルを使用して確立され得る。いくつかの実施形態によれば、APNは、PDN接続性確立プロシージャにおいてシグナリングされ得る。ネットワークからのPDN接続性完了メッセージは、PDN識別子と、随意に、対応するPDN接続のためにUEに割り当てられたIPアドレスとを示し得る。GREトンネリングは、PDN接続を識別または分離(区別)するために使用され得る。いくつかの態様によれば、プロトコルは、モデムプロセッサ中に実装され得る。
【００９８】
図19に、本開示の態様による、例示的な動作1900を示す。動作1900は、たとえば、図1および図3に関して上記で説明したようにUE120などのUEによって実行され得る。動作1900は、1902において、UEがWLANを介してネットワークに接続することを決定するとき、UEが複数のパケットデータネットワーク(PDN)接続をサポートすることが可能であるという指示を与えることによって開始し得る。
【００９９】
1904において、UEは、ネットワークからの応答として、UEについて非シームレスワイヤレスオフロード(NSWO)ありまたはなしの複数のPDN接続をWLANがサポートするという指示を受信し得る。
【０１００】
1906において、UEは、PDNまたはNSWO接続のインターネットプロトコル(IP)連続性を保持する形で拡張可能認証プロトコル(EAP)認証プロシージャを介したネットワークからの応答に基づいてWLANを通してPDNまたはNSWO接続のうちの少なくとも1つを確立し得る。いくつかの態様によれば、UEが複数のPDN接続または単一の接続の能力を示さない場合、またはWLANが複数のPDN接続をサポートすることを示す応答がUEによって受信されない場合、WLANを通した単一の接続が確立され得る。
【０１０１】
図20に、本開示の態様による、例示的な動作2000を示す。動作2000は、たとえば、ワイヤレスローカルエリアネットワーク(WLAN)エンティティによって実行され得る。動作2000は、2002において、ユーザ機器(UE)がWLANを介してネットワークに接続することを決定するとき、UEが複数のパケットデータネットワーク(PDN)接続をサポートすることが可能であるという指示を受信することによって開始し得る。
【０１０２】
2004において、WLANエンティティは、UEが接続することを決定する前のように複数のPDN接続のインターネットプロトコル(IP)連続性を保持する形で1つまたは複数のPDN接続性確立プロシージャを介してWLANを通して複数のPDN接続を確立し得る。いくつかの態様によれば、WLANは、WWAN事業者によって動作されるWiFiホットスポットであり得る。いくつかの態様によれば、複数のPDN接続は、リンクレイヤまたはネットワークレイヤトンネル(たとえば、GREトンネリング)を使用し得る。いくつかの態様によれば、PDN接続性確立プロシージャごとのシグナリングは(たとえば、PDN接続完了メッセージ中の)APNを示し得る。いくつかの態様によれば、NSWOが許可される場合、PDN接続を確立する前にNSWO接続が確立される。代替的に、NSWOがWLAN事業者によって許可されない場合、PDN接続のみが確立され得る。いくつかの態様によれば、ローカルIPアドレスを収集するためのDHCPおよびRS/RAプロシージャがスキップされ得る。
【０１０３】
上記で説明した方法の様々な動作は、対応する機能を実行することができる任意の好適な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。一般に、図に示す動作がある場合、それらの動作は、同様の番号をもつ対応するカウンターパートのミーンズプラスファンクション構成要素を有し得る。
【０１０４】
本明細書で使用される場合、「判断すること」という用語は、多種多様な動作を包含する。たとえば、「判断すること」は、計算すること、算出すること、処理すること、導出すること、調査すること、探索すること(たとえば、テーブル、データベース、または別のデータ構造を探索すること)、確認することなどを含み得る。また、「判断すること」は、受信すること(たとえば、情報を受信すること)、アクセスすること(たとえば、メモリ内のデータにアクセスすること)などを含み得る。また、「判断すること」は、解決すること、選択すること、選出すること、確立することなどを含み得る。
【０１０５】
本明細書で使用される場合、項目のリスト「のうちの少なくとも1つ」を指す句は、個々のメンバーを含む、それらの項目の任意の組合せを指す。一例として、「a、b、またはcのうちの少なくとも1つ」は、a、b、c、a-b、a-c、b-c、およびa-b-cをカバーするものとする。
【０１０６】
情報および信号は、様々な異なる技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０７】
さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は理解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱をもたらすものと解釈すべきではない。
【０１０８】
本明細書の開示に関して説明される様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または、本明細書で説明される機能を実行するように設計されたそれらの任意の組合せで実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。
【０１０９】
本明細書の開示に関して説明する方法またはアルゴリズムのステップは、直接ハードウェアで実施されるか、プロセッサによって実行されるソフトウェアモジュールで実施されるか、またはその2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に常駐し得る。例示的な記憶媒体は、プロセッサが記憶媒体から情報を読み取り、および/または記憶媒体に情報を書き込むことができるように、プロセッサに結合される。代替として、記憶媒体はプロセッサに一体化され得る。プロセッサおよび記憶媒体はASIC中に常駐し得る。ASICは、ユーザ端末内に常駐し得る。代替として、プロセッサおよび記憶媒体は、ユーザ端末中に個別構成要素として常駐し得る。一般に、図に示す動作がある場合、それらの動作は、同様の番号をもつ対応するカウンターパートのミーンズプラスファンクション構成要素を有し得る。
【０１１０】
1つまたは複数の例示的な設計では、説明された機能は、ハードウェア、ソフトウェア、ファームウェア、または任意のそれらの組合せで実装され得る。ソフトウェアで実装される場合、機能は、1つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令またはデータ構造の形態の所望のプログラムコード手段を搬送または記憶するために使用され汎用もしくは専用コンピュータまたは汎用もしくは専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用する場合、ディスク(disk)およびディスク(disc)は、コンパクトディスク(CD)、レーザーディスク（登録商標）、光ディスク、デジタル多用途ディスク(DVD)、フロッピー（登録商標）ディスク、およびブルーレイディスクを含み、ディスク(disk)は、通常、磁気的にデータを再生し、ディスク(disc)は、レーザーで光学的にデータを再生する。上記の組合せもコンピュータ可読媒体の範囲内に含めるべきである。
【０１１１】
本開示の前述の説明は、いかなる当業者も本開示を作成または使用することができるようにするために与えたものである。本開示への様々な修正が当業者には容易に明らかになることになり、本明細書に定義する一般原理は、本開示の趣旨および範囲を逸脱することなしに他の変形形態に適用され得る。したがって、本開示は、本明細書で説明した例および設計に限定されることを意図するものではなく、本明細書で開示する原理および新規の特徴に一致する最も広い範囲を与えられるべきである。
【符号の説明】
【０１１２】
100  ワイヤレス通信ネットワーク、ワイヤレスネットワーク
102a  マクロセル
102b  マクロセル
102c  マクロセル
102x  ピコセル
102y  フェムトセル
102z  フェムトセル
110  発展型ノードB(eNB)
110a  eNB
110b  eNB、マクロeNB
110c  eNB、マクロeNB
110r  中継局
110x  eNB、ピコeNB
110y  eNB、フェムトeNB
110z  eNB、フェムトeNB
120r  UE
120x  UE
120y  UE
130  ネットワークコントローラ
200A  フォーマット
210a  物理アップリンク制御チャネル(PUCCH)
210b  物理アップリンク制御チャネル(PUCCH)
220a  物理アップリンク共有チャネル(PUSCH)
220b  物理アップリンク共有チャネル(PUSCH)
312  データソース
320  送信プロセッサ
330  送信(TX)多入力多出力(MIMO)プロセッサ
332  変調器、復調器
332a〜332t  変調器(MOD)
334  アンテナ
334a〜334t  アンテナ
336  MIMO検出器
338  受信プロセッサ
339  データシンク
340  コントローラ/プロセッサ
342  メモリ
344  スケジューラ
352a〜252r  アンテナ
354  復調器
354a〜354r  復調器(DEMOD)、変調器
356  MIMO検出器
358  受信プロセッサ
360  データシンク
362  データソース
364  送信プロセッサ
366  TX MIMOプロセッサ
380  コントローラ/プロセッサ
382  メモリ
400  非ローミング発展型パケットサービス(EPS)ワイヤレスネットワークアーキテクチャ、ネットワーク
402  ホームパブリックランドモバイルネットワーク(HPLMN)
404  非3GPPネットワーク
406  信頼できる接続
408  発展型パケットデータゲートウェイ(ePDG)
410  UE
412  信頼できないWLANアクセス
414  PDNゲートウェイ
500  ネットワークアーキテクチャ
506  信頼できるWLANアクセスネットワーク
507  TWAG
510  UE
514  PDNゲートウェイ(PGW)
515  PDNゲートウェイ(PGW)
516  PDN#1
518  PDN#2
520  PDN#3
600  信頼できるWLANアクセスゲートウェイ(TWAG)システム
602  制御プレーン
604  ユーザプレーン
606  TWAN
610  UE
614  PGW
700  コールフロー、オフロードプロトコル、プロセス
706  TWAN
710  UE
718  3GPP認証、許可およびアカウンティング(AAA)サーバ
800  コールフロー
806  TWAN
810  UE
900  コールフロー
906  TWAN
910  UE
918  HSS/AAA
1000  コールフロー
1006  TWAG
1010  UE
1100  動作
1200  動作
1302  第1の実施形態
1304  制御プロトコル
1306  専用GREトンネル
1308  MAC
1310  PHY
1312  第2の実施形態
1314  制御プロトコル
1316  インターネットプロトコル(IP)
1318  MAC
1320  PHY
1322  第3の実施形態
1324  制御プロトコル
1326  GAS
1328  MAC
1330  PHY
1400  コールフロー
1406  TWAN
1410  UE
1420  専用GREトンネル
1500  コールフロー
1510  UE
1600  コールフロー
1606  TWAN
1610  UE
1700  動作
1800  動作
1900  動作
2000  動作
【図１】
0006457393.tif 000002
【図２】
0006457393.tif 000003
【図２Ａ】
0006457393.tif 000004
【図３】
0006457393.tif 000005
【図４】
0006457393.tif 000006
【図５】
0006457393.tif 000007
【図６】
0006457393.tif 000008
【図７】
0006457393.tif 000009
【図８】
0006457393.tif 000010
【図９】
0006457393.tif 000011
【図１０】
0006457393.tif 000012
【図１１】
0006457393.tif 000013
【図１２】
0006457393.tif 000014
【図１３】
0006457393.tif 000015
【図１４】
0006457393.tif 000016
【図１５】
0006457393.tif 000017
【図１６】
0006457393.tif 000018
【図１７】
0006457393.tif 000019
【図１８】
0006457393.tif 000020
【図１９】
0006457393.tif 000021
【図２０】
0006457393.tif 000022